(57)【要約】【課題】  梱包時の作業人員を削減し、容易かつ円滑に被梱包物を梱包箱に収容することができる梱包用内袋および梱包方法を提供する。【解決手段】  下部箱体５と、下部箱体５に装着される上部箱体３とを有する梱包箱２に収容される板状の被梱包物４を覆う梱包用内袋１を、被梱包物４を、その厚み方向一方側から覆う矩形の第１シート部１１と、第１シート部１１の３辺で連なり、被梱包物４をその厚み方向他方側から覆う矩形の第２シート部１２と、第１シート部１１の３辺を除く残余の１辺で連なるフラップ部１３とによって構成する。【選択図】      図１
2013075668.tif 000002
【特許請求の範囲】
【請求項１】
梱包箱に収容される板状の被梱包物を覆う梱包用内袋であって、
前記被梱包物を、その厚み方向一方側から覆う矩形の第１シート部と、前記被梱包物をその厚み方向他方側から覆う矩形の第２シート部とによって、開口部を有する袋状に構成される袋本体と、
前記第１シート部に連なり、前記袋本体の開口部から延びるフラップ部とを含むことを特徴とする梱包用内袋。
【請求項２】
前記フラップ部は、三角形状であることを特徴とする請求項１に記載の梱包用内袋。
【請求項３】
前記フラップ部は、前記第１シートの前記第２シート部に対向する内面に連なる表面が内側となるように湾曲していることを特徴とする請求項１または２に記載の梱包用内袋。
【請求項４】
前記フラップ部には、切込みによって舌状部が形成され、
前記第２シート部には、前記舌状部を挿入可能な切欠きが形成されることを特徴とする請求項１〜３のいずれか１つに記載の梱包用内袋。
【請求項５】
請求項１〜４のいずれか１つに記載の梱包用内袋を、被梱包物に上方から装着し、該被梱包物から下方に垂下するフラップ部を、第２シート部側へ回し込んだ状態で、梱包箱に上方から収容することを特徴とする梱包方法。
【発明の詳細な説明】
【技術分野】
【０００１】
本発明は、梱包箱に梱包される液晶テレビなどの板状の被梱包物を保護するために装着される梱包用内袋および梱包方法に関する。
【背景技術】
【０００２】
従来から、板状の被梱包物であるたとえば液晶テレビの梱包工程においては、液晶テレビ完成品に上方から梱包用内袋を被せた後、梱包箱に収めている。このとき、梱包用内袋の液晶テレビから下方へ垂下する裾部を折返し、その折返し状態を保つために、テープで留めている。
【０００３】
このような梱包工程において、裾部の折返しが不完全または不充分である場合、梱包用内袋を被せた液晶テレビを梱包箱に収める際、梱包箱内の緩衝材に梱包用内袋が引っ掛かり、捲れることがある。梱包用内袋が捲れると、液晶テレビがその捲れた部位から外部へ露出するので、液晶テレビが損傷する可能性がある。したがって、液晶テレビを箱詰めする際に梱包用内袋が捲れることを防ぐ必要がある。
【０００４】
そのため、液晶テレビ完成品に梱包用内袋を被せた後、梱包箱に収めるとき、梱包用内袋が被せられた液晶テレビを２人の作業者によって抱え持った状態で、３人目の作業者が梱包用内袋の裾部を折返し、折返し状態を保つために、当該３人目の作業者が裾部両端を作業者が手で押さえている。また、他の手法として、他の従来技術では、液晶テレビ完成品に２人の作業者によって梱包用内袋を被せた後、梱包箱に収めるとき、３人目の作業者によって梱包用内袋の裾部を折り返し、折り返し状態を保つために、３人目の作業者が折返した裾部を袋本体の片側の面に粘着テープで留めている（たとえば、特許文献１，２参照）。
【先行技術文献】
【特許文献】
【０００５】
【特許文献１】特開平１０−２０３５６５号公報
【特許文献２】特開２００５−２３９２７６号公報
【発明の概要】
【発明が解決しようとする課題】
【０００６】
本発明の目的は、梱包時の作業人員を削減し、容易かつ円滑に被梱包物を梱包箱に収容することができる梱包用内袋および梱包方法を提供することである。
【課題を解決するための手段】
【０００７】
本発明は、梱包箱に収容可能な板状の被梱包物に装着される梱包用内袋であって、
前記被梱包物をその厚み方向一方側から覆う矩形の第１シート部と、前記被梱包物をその厚み方向他方側から覆う第２シート部とによって袋状に構成される袋本体と、
前記第１シート部に連なり、前記袋本体の開口部から延びるフラップ部とを含むことを特徴とする梱包用内装である。
【０００８】
また本発明は、前記フラップ部は、三角形状であることを特徴とする。
さらに本発明は、前記フラップ部は、前記第１シートの前記第２シート部に対向する内面に連なる表面が内側となるように湾曲していることを特徴とする。
【０００９】
さらに本発明は、前記フラップ部には、切込みによって舌状部が形成され、
前記第２シート部には、前記舌状部を挿入可能な係止孔が形成されることを特徴とする。
【００１０】
さらに本発明は、請求項１〜４のいずれか１つに記載の梱包用内袋を、被梱包物に上方から装着し、該被梱包物から下方に垂下するフラップ部を、第２シート部側へ回し込んだ状態で、梱包箱に上方から収容することを特徴とする梱包方法である。
【発明の効果】
【００１１】
本発明によれば、板状の梱包用内袋は、第１シート部と第２シート部とフラップ部とを有する。第１シート部は矩形のシートであって、その３辺に第２シート部が連なり、残余の一辺にはフラップ部が連なる。このような梱包用内袋を用いることによって、梱包用内袋を被梱包物に上方から装着し、フラップ部を一人の作業者が片手で把持し、被梱包物の下端部を経て、第２シート部側へ巻上げた状態で梱包箱に上方から挿入することができるので、前記従来技術のように巻上げた裾部を粘着テープによって留める必要がなくなり、そのための作業者を削減し、梱包用内袋が梱包箱に引っ掛かることなく円滑に梱包作業を行うことができ、被梱包物の損傷を防ぐことができる。
【００１２】
また本発明によれば、梱包用内袋のフラップ部が三角形であるので、被梱包物に梱包用内袋を被せた際、梱包用内袋のフラップ部が垂れ下がり、そのフラップ部の三角形の下端となる頂点付近の１点だけを把持してフラップ部全体を容易かつ確実に上方へ巻上げ、梱包箱に梱包用内袋が被せられた被梱包物を挿入し、前記従来技術のように巻上げた裾部を粘着テープによって留める必要がなくなり、そのための作業者を削減し、梱包用内袋が梱包箱に引っ掛かることなく円滑に梱包作業を行うことができ、被梱包物の損傷を防ぐことができる。
【００１３】
さらに本発明によれば、梱包用内袋のフラップ部がいわばカール癖付けによって湾曲しているので、被梱包物に梱包用内袋を被せた際、梱包用内袋のフラップ部が垂れ下がり、湾曲したフラップ部が被梱包物の下部を下方から包むような配置状態となり、梱包用内袋が捲れ上がらずに円滑に、下部箱体に上方から挿入することができる。これによって、前記従来技術のように、巻上げた裾部を粘着テープによって留める必要がなくなり、そのための作業者を削減し、梱包用内袋が梱包箱に引っ掛かることなく円滑に梱包作業を行うことができ、被梱包物の損傷を防ぐことができる。
【００１４】
さらに本発明によれば、フラップ部に切込みによって舌状部が形成され、第２シート部には前記舌状部を挿入可能な係止孔が形成されるので、梱包用内袋を被梱包物に上方から装着し、フラップ部を一人の作業者が片手で把持し、被梱包物の下端部を経て、第２シート部側へ巻上げた状態で係止孔に舌状部を挿入してフラップ部の垂れ下がりが阻止された状態で、梱包箱に上方から挿入することができる。これによって、前記従来技術のように巻上げた裾部を粘着テープによって留める必要がなくなり、そのための作業者を削減し、梱包用内袋が梱包箱に引っ掛かることなく円滑に梱包作業を行うことができ、被梱包物の損傷を防ぐことができる。
【図面の簡単な説明】
【００１５】
【図１】本発明の一実施形態の梱包用内袋１を含む梱包ユニット２の構成を示す分解斜視図である。
【図２】梱包ユニット２の上部箱体３を外した梱包状態を示す分解斜視図である。
【図３】梱包用内袋１の正面図である。
【図４】図３の切断面線ＩＶ−ＩＶから見た断面図である。
【図５】本発明の他の実施形態の梱包用内袋１ａの正面図である。
【図６】図５の切断面線ＶＩ−ＶＩから見た断面図である。
【図７】本発明のさらに他の実施形態の梱包用内袋１ｂの正面図である。
【図８Ａ】図７に示す梱包用内袋１ｂの係止孔２１および舌状部２２付近の拡大正面図である。
【図８Ｂ】図７に示す梱包用内袋１ｂの舌状部２２を係止孔２１に係止させた状態を示す拡大正面図である。
【図９】図７の切断面線ＩＸ−ＩＸから見た断面図である。
【発明を実施するための形態】
【００１６】
図１は本発明の一実施形態の梱包用内袋１を含む梱包ユニット２の構成を示す分解斜視図であり、図２は梱包ユニット２の上部箱体３を外した梱包状態を示す分解斜視図である。なお、本実施形態の梱包用内袋によって梱包方法が実施されるものとする。中大型液晶テレビの本体である板状の被梱包物４は、製造工場からユーザまで輸送するために、梱包ユニット２によってスタンド８とともに梱包されて運搬される。梱包ユニット２は、段ボールから成る梱包箱である下部箱体５に、前後左右から段ボール部材を突出させて構成される嵌合部材６，７を設けておき、そこへ梱包用内袋１を被せた被梱包物４が、スタンド用の小形の内袋８ａが被せられたスタンド８とともに組立てられていない状態で挿入される。被梱包物４は嵌合部材６，７によって前後左右の４方向から支持される。
【００１７】
梱包するに際しては、上部箱体３を封緘した後に被せると空気が抜けずに被せにくいため、また、上枠９を被梱包物４の上部に先に装着した後に上部箱体３を被せると、上部箱体３が上枠９に引っ掛かって上枠９が外れ易い。そのため、下部箱体３に嵌合部材６，７を装着し、梱包用内袋１を被せた被梱包物４を嵌合部材６，７に挿入するとともに、スタンド用内袋８ａを被せたスタンド８を立てて嵌合部材６，７に挿入し、筒状の上部箱体３を被せる。その後、上枠９を被梱包物４の上部に装着して、上部箱体３の上開口部を封緘し、上部箱体３の下端部と下部箱体５とを、たとえば４つのジョイント部材１０によって結合し、この状態で、工場から販売店を経てユーザまで輸送される。
【００１８】
梱包用内袋１は、被梱包物４を、その厚み方向一方側から覆う矩形の第１シート部１１と、第１シート部１１の３辺に連なり、前記被梱包物４をその厚み方向他方側から覆う矩形の第２シート部１２と、第１シート部１１の前記３辺を除く残余の１辺に連なるフラップ部１３とを含む。このような梱包用内袋１は、ポリエチレンなどの発泡合成樹脂製シートによって形成されてもよく、あるいはポリ塩化ビニル製シートによって形成されてもよい。前記第１シート部１１と第２シート部１２とによって、開口部を有する袋状の袋本体を構成する。
【００１９】
図３は梱包用内袋１の正面図であり、図４は図３の切断面線ＩＶ−ＩＶから見た断面図である。梱包用内袋１は、板状の被梱包物４に上方から装着され、該被梱包物４から仮想線１３１で示すように、下方に垂下するフラップ部１３を、第２シート部１２側（図３の紙面に垂直手前側）へ回し込んだ状態で、下部箱体５に上方から収容した後、上部箱体３が、前記梱包内袋１が被せられた被梱包物４の上方から装着される。
【００２０】
このような梱包用内袋１を用いることによって、梱包用内袋１を被梱包物４に上方から装着し、フラップ部１３を一人の作業者が片手で把持し、被梱包物４の下端部を経て、第２シート１２部側へ巻上げた状態で下部箱体５に上方から挿入することができるので、前記従来技術のように巻上げた裾部を粘着テープによって留める必要がなくなり、そのための作業者を削減し、梱包用内袋１が下部箱体５に引っ掛かることなく円滑に梱包作業を行うことができ、被梱包物４の損傷を防ぐことができる。
【００２１】
また、本発明の他の実施形態として、前記フラップ部１３を図４の仮想線１３２で示すように、第１シート部１１の前記第２シート部１２に対向する内面１７に連なる表面１８が内側となるように湾曲する湾曲部を、その先端部Ｃが被梱包物４のスタンド部８の先端を超えて突出するように形成することによって、湾曲したフラップ部１３が被梱包物４の下部を下方から包むような配置状態となり、下部箱体５に被梱包物４を真上から降ろすことによって、梱包用内袋１を捲れ上がらすことなく円滑に、下部箱体５に挿入することができる。これによって、前記従来技術のように、巻上げた裾部を粘着テープによって留める必要がなくなり、そのための作業者を削減し、梱包用内袋が下部箱体５に引っ掛かることなく円滑に梱包作業を行うことができ、被梱包物４の損傷を防ぐことができる。
【００２２】
図５は本発明の他の実施形態の梱包用内袋１ａの正面図であり、図６は図５の切断面線ＶＩ−ＶＩから見た断面図である。なお、前述の実施形態と対応する部分には、同一の参照符を付す。また、本実施形態の梱包用内袋１ａによって梱包方法が実施されるものとする。本実施形態の梱包用内袋１ａは、フラップ部１３ａが、正面側から見て第１シート部１１の４辺のうち、開口部の一部を構成する残余の１辺を底辺とする三角形状に形成される。
【００２３】
このような梱包用内袋１ａを用いることによって、梱包用内袋１ａを被梱包物４に上方から装着し、下方に垂れ下がったフラップ部１３ａの頂点１３ａ１およびその近傍を、一人の作業者が片手で把持し、フラップ部１３ａ全体を被梱包物４の下端部を経て、第２シート部１２側（図５の紙面に垂直手前側）へ巻上げた状態で、下部箱体５に上方から挿入することができる。
【００２４】
これによって、前記従来技術のように、巻上げた裾部を粘着テープによって留める必要がなくなり、そのための作業者を削減し、梱包用内袋が下部箱体に引っ掛かることなく円滑に梱包作業を行うことができ、被梱包物４の損傷を防ぐことができる。
【００２５】
図７は本発明のさらに他の実施形態の梱包用内袋１ｂの正面図であり、図８Ａは図７に示す梱包用内袋１ｂの係止孔２１および舌状部２２付近の拡大正面図であり、図８Ｂは図７に示す梱包用内袋１ｂの舌状部２２を係止孔２１に係止させた状態を示す拡大正面図である。図９は図７の切断面線ＩＸ−ＩＸから見た断面図である。なお、本実施形態の梱包用内袋１ｂを用いて梱包方法に係る発明が実施されるものとする。本実施形態の梱包用内袋１ｂは、フラップ部１３ｂには、たとえば打抜き加工によって舌状部２２が形成され、第２シート部１２には、前記舌状部２２を挿入可能な係止孔２１が形成される。
【００２６】
舌状部２２は、帯状のウエブ部分２２ａと、ウエブ部分２２ａに連なりウエブ部分２２ａよりも幅広のフランジ部分２２ｂとを有し、略Ｔ字状に形成される。舌状部２２が係止孔２１に挿入された状態では、フラップ部１３ｂのウエブ部分２２ａの一部が係止孔２１を挿通して第２シート部１２の裏側に挿入し、フラップ部１３ｂのフランジ部分２２ｂが係止孔２１の両側部分に引っ掛かって抜止めされ、これによってフラップ部１３ｂの先端部を第２シート部１２に係止し、フラップ部１３ｂを捲り上げた状態に維持することができる。
【００２７】
本実施形態によれば、フラップ部１３ｂに切込みによって舌状部２２が形成され、第２シート部１２には前記舌状部２２を挿入可能な係止孔２１が形成されるので、梱包用内袋１ｂを被梱包物４に上方から装着し、フラップ部１３ｂを一人の作業者が片手で把持し、被梱包物４の下端部を経て、第２シート部１２側へ巻上げた状態で係止孔２１に舌状部２２を下から挿入してフラップ部１３ｂの垂れ下がりが阻止された状態で、下部箱体５に上方から挿入することができる。これによって、前記従来技術のように巻上げた裾部を粘着テープによって留める必要がなくなり、そのための作業者を削減し、梱包用内袋が下部箱体５に引っ掛かることなく円滑に梱包作業を行うことができ、被梱包物４の損傷を防ぐことができる。
【００２８】
本発明のさらに他の実施形態として、フラップ部に形成したＶ字状の切込みによって生じる略Ｖ字状の舌片部と、第２シート部１２に前記舌状部の幅よりも長さの短い横方向に一直線状の係止孔としての切欠きとを形成し、この切欠きに上方から前記舌状部を差し込む構成であってもよい。これによってもまた、舌状部が切欠きから容易に離脱することなく係止され、フラップ部の垂れ下がりを防止することができる。
【００２９】
本発明のさらに他の実施形態では、フラップ部を別部材とし、フラップ部を第１シート部１１に熱圧着するようにしてもよい。これによって、形状または形態の異なるフラップ部を必要に応じて第１シート部１１に接合して梱包用内袋を製造することができ、製造上の利便性を向上することができる。
【００３０】
上述の梱包用内袋およびそれを用いた梱包方法に係る本発明の各実施形態では、被梱包物４として、スタンドが組み付けられていない中大型液晶テレビの本体を想定して説明したが、本発明の他の実施形態では、前記液晶テレビに代えてプラズマテレビ（Plasma Display Panel：略称ＰＤＰ）であってもよく、その他の板状の構造部を主要部とする電子機器および電気機器であってもよく、上記と同様な効果を達成することができる。
梱包用内袋およびそれ用いた梱包方法に係る本発明は、前述の各実施形態のように、上部箱体と下部箱体とに上下分割された梱包箱だけでなく、１つの箱体から成る梱包箱に挿入される被梱包物に対しても好適に実施することができ、被梱包箱へ被梱包物を収容する際に、被梱包物に被せられた内袋が梱包箱に引っ掛かることを防ぎ、大型の被梱包物であっても、作業人員を削減して、円滑に、効率よく、梱包することができる。
【符号の説明】
【００３１】
１，１ａ，１ｂ  梱包用内袋
２  梱包ユニット
３  上部箱体
４  被梱包物
５  下部箱体
６，７  嵌合部
８  スタンド部
９  上枠
１０  ジョイント部材
１１  第１シート部
１２  第２シート部
１３，１３ａ，１３ｂ  フラップ部
１３ａ１  頂点
１７  内面
１８  表面
２１  係止孔
２２  舌状部
１３１，１３２  仮想線
【図１】
2013075668.tif 000003
【図２】
2013075668.tif 000004
【図３】
2013075668.tif 000005
【図４】
2013075668.tif 000006
【図５】
2013075668.tif 000007
【図６】
2013075668.tif 000008
【図７】
2013075668.tif 000009
【図８Ａ】
2013075668.tif 000010
【図８Ｂ】
2013075668.tif 000011
【図９】
2013075668.tif 000012